(57)【要約】【課題】電子機器とのケーブル接続を容易とし、ケーブル接続に起因した問題点を解消することができる電子機器収納テーブルを提供する。【解決手段】デスク本体の収納部にサーバーコンピュータを設け、デスク本体３上面１１をフラットにしてキーボードと液晶ディスプレイを配置可能とする。デスク本体３上面１１の凹部２２にコネクタパネル３１を設け、コネクタパネル３１に、サーバーコンピュータと接続されたキーボード等のコネクタ３２を設ける。他の凹部２２にＡＣパネル４１を設け、ＡＣパネル４１に、液晶ディスプレイ等に電源を供給する為のＡＣコンセント４２を設ける。凹部２２の内側にスライド式パネル５１を設け、凹部２２の開口部を開閉する。デスク本体３背面６１に、ＡＣ供給用接続器具６２とＬＡＮ接続用のコネクタ７１を設ける。【選択図】        図３
2005025241.tif 000002
【特許請求の範囲】
【請求項１】
デスク本体にサーバー等の電子機器を収容する収納部が設けられた電子機器収納デスクにおいて、
前記収納部の前記電子機器に接続されたコネクタを有するコネクタパネルと、前記デスク本体上で使用される各種機器に電源を供給する為のコンセントが設けられたＡＣパネルとを、前記デスク本体上面に凹設された凹部内に設けるとともに、前記デスク本体上面に開口した前記凹部の開口部を開放自在に閉鎖するスライド式パネルを設ける一方、
前記デスク本体背面に、前記収納部内の前記電子機器及び前記コンセントに電源を供給する為のＡＣ供給用接続器具と、前記電子機器に接続されたＬＡＮ接続用のコネクタとを設けたことを特徴とする電子機器収納ディスク。
【発明の詳細な説明】
【０００１】
【発明の属する技術分野】
本発明は、サーバーコンピュータ等の電子機器を収容する電子機器収容デスクに関する。
【０００２】
【従来の技術】
近年、オフィスのネットワーク化が進み、オフィスや関連施設へのネットワーク機器の設置が増えている。
【０００３】
従来では、電子機器収容ラックにサーバーコンピュータ等の電子機器を収容してネットワークの構築を行っていたが、サーバーコンピュータ等の電子機器の小型化・性能の向上、ネットワークの分散化により、大型ラック以外に、小型の電子機器収納ラックやデスクの使用が増えてきた。
【０００４】
【発明が解決しようとする課題】
しかしながら、モニタやキーボードとラックやデスク内のサーバーコンピュータ等の電子機器とをケーブル接続する場合に、カバーへの通線穴加工や配線工事等が発生し、重要信号ケーブル保護の意味でも問題が生じていた。
【０００５】
また、外部からのＡＣケーブルや信号ケーブルも、ラックやテーブル内に導入する必要がある。
【０００６】
さらに、ケーブル通線穴の防塵性が低く、塵・埃による内部機器への悪影響も懸念されていた。
【０００７】
そして、システムによっては、サーバーコンピュータ等の電子機器のメンテナンス時のみに、モニタやキーボードを使用することがあり、通常は、スライド式テーブルや棚を用いてモニタやキーボードをラックやテーブル内に収容したり、ラック天井部及びデスクテーブル面にモニタやキーボードを設置していた。この為、必要以上のラックサイズへの設置やテーブル上面スペースの有効活用が出来なかった。
【０００８】
また、この方法で設置された場合は、機器の交換や、レイアウト変更、ラックやテーブルの移設時に、大変な労力を要し、かつ機器やケーブルの損傷も考えられる。
【０００９】
本発明は、このような従来の課題に鑑みてなされたものであり、電子機器とのケーブル接続を容易とし、ケーブル接続に起因した問題点を解消することができる電子機器収納テーブルを提供することを目的とするものである。
【００１０】
【課題を解決するための手段】
前記課題を解決するために本発明の電子機器収納ディスクにあっては、デスク本体にサーバー等の電子機器を収容する収納部が設けられた電子機器収納デスクにおいて、前記収納部の前記電子機器に接続されたコネクタを有するコネクタパネルと、前記デスク本体上で使用される各種機器に電源を供給する為のコンセントが設けられたＡＣパネルとを、前記デスク本体上面に凹設された凹部内に設けるとともに、前記デスク本体上面に開口した前記凹部の開口部を開放自在に閉鎖するスライド式パネルを設ける一方、前記デスク本体背面に、前記収納部内の前記電子機器及び前記コンセントに電源を供給する為のＡＣ供給用接続器具と、前記電子機器に接続されたＬＡＮ接続用のコネクタとを設けた。
【００１１】
すなわち、デスク本体に、例えばキーボード・モニタ・マウス・ＵＳＢ用のコネクタパネルを設けることができ、配線穴等を経由して配線作業を行うことなく、デスク本体上面にて、キーボード・モニタ・マウス・ＵＳＢ機器と、収納部内のサーバーコンピュータ等の電子機器とを接続が行われる。
【００１２】
また、同様にデスク本体に設けられたＡＣパネルによって、モニタへのＡＣ供給もデスク本体上面のプラグ接続で行われる。
【００１３】
さらに、背面にＡＣ接続器具とＬＡＮ接続用のコネクタとを設けたため、外部からのＡＣケーブルや信号ケーブルも、ＡＣ接続器具接続及びＬＡＮ接続用のコネクタ接続にて行われる。
【００１４】
そして、前記コネクタパネルやＡＣパネルが設けられた凹部の開口部は、スライド式パネルによって開閉される。このため、非使用時には、スライド式パネルを閉めておくことにより、防塵性が高められる。
【００１５】
また、デスク本体上面に配設されるモニタやキーボードと収納部内のサーバーコンピュータ等の電子機器とを接続する各種ケーブルは、デスク本体上面の凹部内に設けられたコネクタに接続されている為、前記収納部内への通線による防塵性低下が最低限に抑えられる。
【００１６】
さらに、前記コネクタ接続により、未使用時のモニタやキーボードの取り外し、デスク本体の移設時の簡略化が図れる。
【００１７】
【発明の実施の形態】
以下、本発明の一実施の実施の形態を図面に従って説明する。図１は、本発明にかかる電子機器収納デスク１を示す図である。
【００１８】
この電子機器収納ディスク１は、図１及び図２に示すように、フロント側のみにリフトロックキャスター２，・・・を備えたデスク本体３からなり、該デスク本体３の前面は、扉４で構成されている。該扉４の内部には、サーバーコンピュータ等の電子機器を収容する収納部５が設けられており、該収納部５内には、無停電電源ユニット６と、ハブ７と、サーバーコンピュータ８とが下段から順に設けられている。
【００１９】
前記デスク本体３の上面１１は、平坦に形成されており、各種機器であるモニターやキーボードやマウスを配置するデスク面として利用できるように構成されている。
【００２０】
この上面１１の奥側には、長方形状の凹部２２が二箇所に形成されている。
【００２１】
図３に示すように、上面１１の右奥側に設けられた凹部２２の底面には、コネクタパネル３１が設けられており、該コネクタパネル３１には、前記収納部５の前記サーバーコンピュータ８に接続されたコネクタ３２，・・・が配設されている。これらのコネクタ３２，・・・は、キーボードが接続されるキーボードコネクタ、液晶ディスプレイが接続されるモニタコネクタ、マウスが接続されるマウスコネクタ、ＵＳＢ機器が接続されるＵＳＢコネクタ等で構成されており、各コネクタ３２，・・・は、デスク本体３内に延出したケーブルを介して、前記サーバーコンピュータ８の対応するコネクタに接続されている。
【００２２】
また、図３の上面１１の左奥側に設けられた凹部２２の底面には、ＡＣパネル４１が設けられており、該ＡＣパネル４１には、前記デスク本体３上で使用される液晶ディスプレイや他の電子機器に電源を供給する為のＡＣコンセント４２，４２が設けられている。
【００２３】
前記デスク本体３上面１１に開口した前記両凹部２２，２２の内側には、前記上面１１に沿ってスライド自在に支持されたスライド式パネル５１，５１が設けられている。該スライド式パネル５１には、取っ手５２が突設されており、該取っ手５２を摘んで前記凹部２２の開口部に沿ってスライドさせることにより、該開口部を開放した状態と閉鎖した状態とを形成できるように構成されている。
【００２４】
そして、前記デスク本体３の背面６１には、図４に示すように、接続されるケーブルによって商用電源が供給されるＡＣ供給用接続器具６２が設けられており、該ＡＣ供給用接続器具６２は、デスク本体３内に配索されたケーブルを介して、前記収納部５内の前記無停電電源ユニット６に接続されている。該無停電電源ユニット６は、前記サーバーコンピュータ８及び前記ハブ７並びに前記ＡＣコンセント４２，４２に接続されており、これらに商用電源を供給するように構成されている。
【００２５】
また、前記背面６１には、ＬＡＮ接続用のコネクタ７１が設けられており、このコネクタ７１は、前記サーバーコンピュータ８の対応するＬＡＮ接続用のコネクタに接続されている。これにより、このコネクタ７１と外部機器とを接続することによって、ネットワークを構築できるように構成されている。
【００２６】
以上の構成にかかる本実施の形態において、デスク本体３上のキーボードや液晶ディスプレイをコネクタパネル３１の各コネクタ３２，・・・に接続することによって、デスク本体３に配線穴等を経由した配線作業を行うことなく、収納部５内のサーバーコンピュータ８に接続することができる。
【００２７】
また、同様にデスク本体３に設けられたＡＣパネル４１のＡＣコンセント４２によって、液晶ディスプレイへのＡＣ供給もデスク本体３上面１１のプラグ接続で行うことができる。
【００２８】
さらに、デスク本体３の背面６１にＡＣ供給用接続器具６２とＬＡＮ接続用のコネクタ７１とを設けたため、外部からのＡＣケーブルや信号ケーブルも、ＡＣ接続器具接続及びＬＡＮ接続用のコネクタ接続にて行うことができる。
【００２９】
そして、上面１１の前記コネクタパネル３１やＡＣパネル４１が設けられた凹部２２，２２の開口部を、スライド式パネル５１，５１によって開閉することができる。このため、非使用時には、スライド式パネル５１を閉めておくことにより、防塵性を高めることができる。
【００３０】
また、デスク本体３上面１１に配設される液晶ディスプレイやキーボード１４と、前記収納部５内のサーバーコンピュータ８とを接続する各種ケーブルは、デスク本体３上面１１の凹部２２，２２内に設けられたコネクタ３２，・・・に接続されている為、前記収納部５内への通線による防塵性低下を最低限に抑えることができる。
【００３１】
さらに、前記コネクタ接続により、未使用時の液晶ディスプレイやキーボードの取り外し、デスク本体３の移設時の簡略化を図ることができる。
【００３２】
このように、液晶ディスプレイやキーボードと、収納部５内のサーバーコンピュータ８とを接続するケーブルの接続方法の変更により、配線作業の容易さを図る。
【００３３】
また、配線穴等によるケーブルの損傷及び防塵性低下による内部のサーバーコンピュータ８等への悪影響の低減を図り、重要データの保護へ貢献することもできる。
【００３４】
さらに、接続方法の変更により、デスク本体３上面１１スペースの有効活用やメンテナンス性の向上を図ることができるとともに、デスク本体３の移設を容易とすることができる。
【００３５】
加えて、デスク本体３背面６１に、ＡＣ供給用接続器具６２及びＬＡＮ接続用のコネクタ７１を設けた為、デスク本体３周辺に配索されるケーブルを減らし、作業者がケーブルに躓いて転倒するといった問題を防止することができ、安全性を高めることができる。
【００３６】
したがって、ケーブル接続に起因した問題点を解消することができる。
【００３７】
【発明の効果】
以上説明したように本発明の電子機器収納デスクにあっては、デスク本体に、例えばキーボード・モニタ・マウス・ＵＳＢ用のコネクタパネルを設けることで、配線穴等を経由して配線作業を行うことなく、デスク本体上面にて、キーボード・モニタ・マウス・ＵＳＢ機器と、収納部内のサーバーコンピュータ等の電子機器とを接続することができる。
【００３８】
また、同様にデスク本体に設けられたＡＣパネルによって、モニタへのＡＣ供給もデスク本体上面のプラグ接続で行うことができる。さらに、背面にＡＣ供給用接続器具とＬＡＮ接続用のコネクタとを設けたため、外部からのＡＣケーブルや信号ケーブルも、ＡＣ接続器具接続及びＬＡＮ接続用のコネクタ接続にて行うことができる。
【００３９】
そして、前記コネクタパネルやＡＣパネルが設けられた凹部の開口部は、スライド式パネルによって開閉することができる。このため、非使用時には、スライド式パネルを閉めておくことにより、防塵性を高めることができる。
【００４０】
また、デスク本体上面に配設されるモニタやキーボードと収納部内のサーバーコンピュータ等の電子機器とを接続する各種ケーブルは、デスク本体上面の凹部内に設けられたコネクタに接続されている為、前記収納部内への通線による防塵性低下を最低限に抑えることができる。
【００４１】
さらに、前記コネクタ接続により、未使用時のモニタやキーボードの取り外し、デスク本体の移設時の簡略化を図ることができる。
【００４２】
このように、モニタやキーボードと、収納部内のサーバーコンピュータ等の電子機器とを接続するケーブルの接続方法の変更により、配線作業の容易さを図る。
【００４３】
また、配線穴等によるケーブルの損傷及び防塵性低下による内部の電子機器への悪影響の低減を図り、重要データの保護へ貢献することもできる。
【００４４】
さらに、接続方法の変更により、デスク上面スペースの有効活用やメンテナンス性の向上を図ることができるとともに、デスク本体の移設を容易とすることができる。
【００４５】
加えて、デスク本体背面に、ＡＣ供給用接続器具及びＬＡＮ接続用のコネクタを設けた為、デスク本体周辺のケーブルを減らし、作業者がケーブルに躓いて転倒するといった問題を防止することができ、安全性を高めることができる。
【００４６】
したがって、ケーブル接続に起因した問題点を解消することができる。
【図面の簡単な説明】
【図１】本発明の一実施の形態の正面図である。
【図２】同実施の形態の平面図である。
【図３】同実施の形態の側面図である。
【図４】同実施の形態の背面図である。
【符号の説明】
１    電子機器収納ディスク
３    デスク本体
５    収納部
８    サーバーコンピュータ
１１    上面
２２    凹部
３１    コネクタパネル
３２    コネクタ
４１    ＡＣパネル
４２    ＡＣコンセント
５１    スライド式パネル
６１    背面
６２    ＡＣ供給用接続器具
７１    コネクタ
【図１】
2005025241.tif 000003
【図２】
2005025241.tif 000004
【図３】
2005025241.tif 000005
【図４】
2005025241.tif 000006